(57)【要約】【課題】超音波洗浄の際には、被洗浄物に最適な洗浄条件となる様に超音波発振器の出力を設定する必要があり、その為、超音波発振器の超音波出力電力を超音波電力計で測定しているが、超音波発振器が複数の場合、一個の超音波電力計で超音波発振器毎に順次接続換えをして測定しており、測定作業に手間がかかっていたと共に、超音波出力電力の同時測定及び同時表示が出来ず、より適切な電力管理を行い得なかった。【構成】ユニット化された超音波電力計２を所望個数集合させて筺体３内に格納し、一体化された多チャンネル超音波電力計１とし、各超音波電力計２をそれぞれ別々の超音波発振器５と超音波振動子６の間に介在させ、これら超音波発振器５の超音波出力電力をそれぞれ同時に測定表示し、複数の超音波発振器５の超音波出力電力を集中管理出来る様にした。【選択図】  図１
2004313988.tif 000002
【特許請求の範囲】
【請求項１】
ユニット化された超音波電力計２を所望個数集合させて筺体３内に格納し、一体化された多チャンネル超音波電力計１とし、各超音波電力計２をそれぞれ別々の超音波発振器５と超音波振動子６の間に介在させ、別々の超音波発振器５の超音波出力電力をそれぞれ同時に測定表示し、これら超音波発振器５の超音波出力電力を集中管理出来る様にしたことを特徴とする超音波電力監視装置。
【請求項２】
ユニット化された超音波電力計２を所望個数集合させて筺体３内に格納し、一体化された多チャンネル超音波電力計１とすると共に、この多チャンネル超音波電力計１と記録計８とを接続し、各超音波電力計２をそれぞれ別々の超音波発振器５と洗浄槽９に取付けられた超音波振動子６の間に介在させ、これら超音波発振器５の超音波出力電力をそれぞれ同時に測定表示し、超音波振動子６に供給される超音波出力電力を集中管理すると共に、これに基づく異常警報の発令及び記録を可能にしたことを特徴とする超音波洗浄装置。
【発明の詳細な説明】
【０００１】
【産業上の利用分野】
この発明は超音波電力監視装置及び超音波洗浄装置、詳しくは、電力管理が容易な超音波電力監視装置及びこれを用いた超音波洗浄装置に関するものである。
【０００２】
【従来の技術】
超音波洗浄の際には、被洗浄物に対して最適な洗浄条件が得られる様にする為、超音波発振器の出力を調整する必要があり、超音波発振器の超音波出力電力を超音波電力計によって測定し、必要な電力になる様に超音波発振器出力を調整することが行われる。この際、複数の超音波発振器を用いている場合には、各超音波発振器毎に、それぞれの出力電力を測定しなければならない。又、この出力電力の測定は、一定稼働時間毎に行われている。
【０００３】
【発明が解決しようとする課題】
この様に、超音波発振器の出力電力の測定は、超音波洗浄を円滑に行う為になくてはならない作業であるが、従来においては、この測定作業のたびに、超音波電力計をいちいち測定対象である超音波発振器に接続していた。超音波洗浄装置が大型化するに従い、それに使用する超音波発振器の数も増加し、それに伴い、測定の為の超音波電力計の接続換えも増加するので、特に大型の超音波洗浄装置の場合、多数の超音波発振器の出力電力を測定するのは、大変手数のかかる作業であった。
【０００４】
又、従来においては上述の通り、接続換えをしながら順次複数の超音波発振器の出力電力を測定していた為、複数の超音波発振器の同時測定は実際上不可能であり、測定値の同時表示やそれに基づく継続的な同時記録も実際上行い得なかった。つまり、従来においては、超音波発振器の出力電力は分散管理されていたことになり、その管理効率は満足すべきものではなかった。なお、超音波電力計が付設された超音波発振器を用いれば、比較的効率的に出力電力の測定作業が可能であるが、この様な器材は高価であり、システム全体の構築には多額のコストを要し、実際的とは言えなかった。
【０００５】
この発明は、超音波洗浄装置などに用いられる超音波発振器の出力電力の測定及び電力管理に関する上記問題点を解決することを目的とするものであり、従来測定のたびごとに行っていた繁雑な接続換えを不要とし、複数の超音波発振器の出力電力の同時測定及び測定値の同時表示、それに基づく集中管理を可能とした超音波電力監視装置及びこれを用いた超音波洗浄装置を提供せんとするものである。
【０００６】
【課題を解決するための手段】
ユニット化された超音波電力計２を所望個数集合させて筺体３内に格納し、一体化された多チャンネル超音波電力計１とし、各超音波電力計２をそれぞれ別々の超音波発振器５と洗浄槽９に取付けられた超音波振動子６の間に介在させ、別々の超音波発振器５の超音波出力電力をそれぞれ同時に測定表示し、これら超音波発振器５の超音波出力電力を集中管理出来る様にすることにより、上記課題を解決した。又、超音波洗浄装置において、ユニット化された超音波電力計２を所望個数集合させて筺体３内に格納し、一体化された多チャンネル超音波電力計１とすると共に、この多チャンネル超音波電力計１と記録計８とを接続し、各超音波電力計２を別々の超音波発振器５と洗浄槽９に取付けられた超音波振動子６の間に介在させ、別々の超音波発振器５の超音波出力電力をそれぞれ同時に測定表示し、超音波振動子６に供給される超音波出力電力を集中管理すると共に、これに基づく異常警報の発令及び記録を可能にすることにより、上記課題を解決した。
【０００７】
【実施の形態】
図１は請求項１に係る超音波電力監視装置の一実施形態の説明図である。図１において、１はこの超音波電力監視装置の中核をなす多チャンネル超音波電力計であり、この多チャンネル超音波電力計１は、ユニット化された同一寸法の超音波電力計２が所望個数（この実施の形態においては１０個）、同一の筺体３内に並列状に格納されて一体化されたものである。そして、この超音波電力計２のそれぞれの前面には、測定値をアナログ的に表示する表示部４が設けられている。
ただし、この表示部４の表示方法は、この実施の形態のタイプのものに限る必要のないことは当然である。
【０００８】
そして、この多チャンネル超音波電力計１を構成している超音波電力計２には、それぞれ対応する別々の超音波発振器５及び超音波振動子６が接続され、各超音波発振器５の超音波出力電力を測定し、測定値を表示部４に表示する様になっている。なお、超音波振動子６は、図示を省略した超音波洗浄槽などに取付けられる。
【０００９】
この実施の形態は上記の通りの構成を有するものであり、超音波発振器５の超音波出力電力は、それぞれ接続されている超音波電力計２によって常時継続的に測定され、測定値は表示部４に連続的に表示される。この際、この表示部４はこの超音波電力計２が格納されている筺体３内に、並列状態で設置されているので、オペレーターは同時に複数の超音波発振器５の超音波出力電力の値を知り、それを比較することが出来る。又、この多チャンネル超音波電力計１に記録計を付設すれば、各超音波電力計２の測定値を記録し、記録されたデータを電力管理の用に供することも可能である。
【００１０】
次に、図２に示す請求項２に係る超音波洗浄装置の一実施形態について説明する。この実施の形態は、前述の請求項１に係る超音波電力監視装置を用いた超音波洗浄装置であり、筺体３内に並列状態で格納された超音波電力計２からなる多チャンネル超音波電力計１は、複数の超音波発振器５と超音波洗浄装置７との間に介装されていると共に、この多チャンネル超音波電力計１には記録計８が付設されており、超音波電力計２がそれぞれの超音波発振器５の超音波出力電力を測定し、それぞれの表示部４で測定値を表示すると共に、記録計８でその値を記録する様になっている。なお、図中９は超音波洗浄装置７の洗浄槽であり、この洗浄槽９にはそれぞれ超音波振動子６が取付けられている。
【００１１】
この実施の形態は上記の通りの構成を有するものであり、複数の超音波発振器５の超音波出力電力をそれぞれ対となっている単位超音波電力計で継続的に測定し、最適な洗浄条件となる様に、各超音波発振器５の出力を調整することが出来る。又、同時に複数の超音波発振器５の超音波出力電力の測定値を監視し、これらを比較することが出来るので、よりきめの細かい電力管理や警報の発令が可能となる。更に、測定値を継続的に記録することにより、そのデータを電力管理の用に供することが出来る。
【００１２】
【発明の効果】
以上、述べた如く、この発明に係る超音波監視装置及び超音波洗浄装置においては、複数の超音波発振器の超音波出力電力を常時一箇所で集中管理できるので、より適切な駆動条件で超音波発振器を稼働させ、洗浄等の作業を効率的かつ高精度で遂行できる効果を有する。又、測定作業のたびに、複数の超音波発振器に超音波電力計を接続し直す作業を一切必要としないので、手間がかからず、接続不良などの接続作業に起因する不具合をなくすことが出来る、更には超音波電力計はユニット化されているので、それ自体は安価であり、システム全体も低コストで構築出来る、などの効果も有し、高い実用的価値を有するものである。
【図面の簡単な説明】
【図１】請求項１に係る超音波電力監視装置の一実施形態の説明図。
【図２】請求項２に係る超音波洗浄装置の一実施形態の説明図。
【符号の説明】
１    多チャンネル超音波電力計
２    超音波電力計
３    筺体
４    表示部
５    超音波発振器
６    超音波振動子
７    超音波洗浄装置
８    記録計
９    洗浄槽
【図１】
2004313988.tif 000003
【図２】
2004313988.tif 000004